(57)【要約】【課題】転写効率をより一層良好にするとともに、転写ニップ部での転写材の通過性および剥離性を向上することのできる転写装置およびこれを備えた画像形成装置を提供することを目的とする。【解決手段】転写装置において、液体現像剤像が転写される像担持体と、前記像担持体と当接部材に当接して転写ニップを形成する所定距離離間して配設される第１及び第２転写ローラと、前記第１及び第２の転写ローラに張架される転写ベルトと、前記第１及び第２転写ローラにそれぞれ配した転写バイアス印加手段と、転写材搬送方向の上流側の第１転写ローラの転写バイアス値をＶ１とし転写材搬送方向の下流側の第２転写ローラの転写バイアス値をＶ２としたとき、Ｖ１＞Ｖ２となるように前記転写バイアス印加手段を制御する制御手段とを有することを特徴とする。【選択図】図５
2009139791.tif 000002
【特許請求の範囲】
【請求項１】
液体現像剤像が転写される像担持体と、前記像担持体と当接部材に当接して転写ニップを形成する所定距離離間して配設される第１及び第２転写ローラと、前記第１及び第２の転写ローラに張架される転写ベルトと、前記第１及び第２転写ローラにそれぞれ配した転写バイアス印加手段と、転写材搬送方向の上流側の第１転写ローラの転写バイアス値をＶ１とし転写材搬送方向の下流側の第２転写ローラの転写バイアス値をＶ２としたとき、Ｖ１＞Ｖ２となるように前記転写バイアス印加手段を制御する制御手段とを有することを特徴とする転写装置。
【請求項２】
前記像担持体はベルトで構成された像担持体ベルトであり、転写ベルトを巻きかける対向ローラを備え、前記第１及び第２転写ローラの両方が対向ローラに当接することを特徴とする請求項１に記載の転写装置。
【請求項３】
前記第２転写ローラの径を前記第１転写ローラの径より小さくすることを特徴とする請求項１又は２に記載の転写装置。
【請求項４】
前記第２転写ローラの硬度を前記第２転写ローラに当接する対向ローラの硬度より低硬度とすることを特徴とする請求項１〜３のいずれかに記載の転写装置。
【請求項５】
回転可能に設けられかつ静電潜像が形成される潜像担持体と、前記静電潜像を液体現像剤で現像して潜像担持体上に液体現像剤像を形成する現像装置と、前記潜像担持体上の液体現像剤像を像担持体に転写する一次転写ユニットと、前記像担持体上の液体現像剤像を搬送されてくる転写材に転写する転写装置とを少なくとも備え、前記転写装置は、前記請求項１〜４のいずれかに記載の転写装置であることを特徴とする画像形成装置。
【発明の詳細な説明】
【技術分野】
【０００１】
本発明は、トナーを不揮発性キャリア液に分散させた液体現像剤を用いて潜像担持体上の潜像を現像して液体現像剤像を形成し、潜像担持体上の液体現像剤像を像担持体上に転写し、像担持体上に転写された液体現像剤像を紙等の転写材に転写する転写装置およびこれを備えた画像形成装置に関するものである。
【背景技術】
【０００２】
従来、液体現像剤を用いた画像形成装置では、トナーを不揮発性キャリア液に分散させた液体現像剤を用いて潜像担持体上の潜像を現像して液体現像剤像を形成し、その液体現像剤像を像担持体に複数回の転写を繰り返して重ね合わせてフルカラーの画像を形成し、その画像を一括して紙等の転写材に転写することが行われている。このような画像形成装置において、像担持体上の重ね合わせた画像を転写材に一括して転写する場合、重ね合わせ画像の固形分濃度の上昇により転写効率が低下するという不具合が発生する。特開２０００−１２２４２７号公報には、このような不具合の発生を抑制するために、像担持体上に複数の色を重ね合わせる際、二色目以降の現像に使用する液体現像剤のトナー固形分率を、一色目の現像に使用する液体現像剤のトナー固形分率より低くし、像担持体に形成された重ね合わせ画像を、電気泳動による転写がされやすくする画像形成方法が提案されている。
【特許文献１】特開２０００−１２２４２７号公報。
【発明の開示】
【発明が解決しようとする課題】
【０００３】
トナーを不揮発性キャリア液に分散させた液体現像剤を用いる画像形成方法において、像担持体上に複数の色の液体現像剤像を重ね合わせる方式では、像担持体上に転写されたトナー層は色重ねが行われるたびに像担持体へ押し付けられる電界を受けることになる。特に１色目のトナーはその影響が顕著であり、例えば４色の現像ユニットを有する方式の場合、１色目が像担持体に転写された後３回の電界を受けることになる。電界を受けるたびに、トナー粒子は像担持体に押し付けられるため付着力が増加して、像担持体から引き剥がすのが難しくなり転写効率が低下するという問題が発生する。
【０００４】
また、像担持体上にキャリア液を回収するスクイーズ機構を有する場合、スクイーズニップを通過することで像担持体へ押し付けられる電界を受け、これによって、トナー粒子の像担持体への付着力が増加して、像担持体から引き剥がすのが難しくなり転写効率が低下するという問題が発生する。
【０００５】
本発明はこのような事情に鑑みてなされたものであって、その目的は、転写効率をより一層良好にするとともに、転写ニップ部での転写材の通過性および剥離性を向上することのできる転写装置およびこれを備えた画像形成装置を提供することである。
【課題を解決するための手段】
【０００６】
本第１発明は、転写装置において、液体現像剤像が転写される像担持体と、前記像担持体と当接部材に当接して転写ニップを形成する所定距離離間して配設される第１及び第２転写ローラと、前記第１及び第２の転写ローラに張架される転写ベルトと、前記第１及び第２転写ローラにそれぞれ配した転写バイアス印加手段と、転写材搬送方向の上流側の第１転写ローラの転写バイアス値をＶ１とし転写材搬送方向の下流側の第２転写ローラの転写バイアス値をＶ２としたとき、Ｖ１＞Ｖ２となるように前記転写バイアス印加手段を制御する制御手段とを有することを特徴とする。Ｖ１＞Ｖ２として前半の電圧を高めに設定することで、転写ニップ入口でトナー層に対してトナー帯電と逆極性の微小放電を発生させる。この微小放電によりトナー層には像担持体から引き剥がされる方向の電界が付与され、トナー層が転写ニップに入る前にトナー粒子の像担持体への付着力を弱めることが出来る。一方で、Ｖ１＞Ｖ２として後半の電圧を低めに設定することで転写ニップ出口での放電を抑制し、転写材が放電により帯電されて像担持体に巻き付いたり、転写材に転写されたトナーが放電によって乱れることを防止することができる。この結果、像担持体上での色重ねやスクイーズによりトナー粒子が像担持体に強く付着するような状況においても転写材への良好な転写が可能となる。
【０００７】
本第２発明は、本第１発明の転写装置において、前記像担持体はベルトで構成された像担持体ベルトであり、転写ベルトを巻きかける対向ローラを備え、前記第１及び第２転写ローラの両方が対向ローラに当接することを特徴とする。片方の転写ローラが当接されない場合、実際のニップにおいては当接されているほうの印加電圧の影響を強く受けるため、ニップ前半と後半に実際に付与される電圧に明確な差を設けることが困難となる。これに対して、第１および第２転写ローラ共に対向ローラに当接させ、第１転写ローラおよび第２転写ローラに独立の電圧を印加することで、ニップ前半および後半に実際に付与される電圧に明確な差を設けることが可能となる。
【０００８】
本第３発明は、本第１または第２発明の転写装置において、前記第２転写ローラの径を前記第１転写ローラの径より小さくすることを特徴とする。第２転写ローラに対して第１転写ローラの径を大きくすることで、転写ニップにおいて強い電圧が印加される領域を長く確保する。これによって、ニップ内で強い転写力を確保することが可能となり、上記ニップ入口での微小放電の効果と併せて、良好な転写性を得ることが出来る。
【０００９】
本第４発明は、本第１〜第３発明のいずれかの転写装置において、前記第２転写ローラの硬度を前記第２転写ローラに当接する対向ローラの硬度より低硬度とすることを特徴とする。対向ローラに対して第２転写ローラの硬度を低く設定することで、対向ローラと第２転写ローラによって形成されるニップ部において第２転写ローラ側をより大きく変形させる。 これにより、ニップ出口において転写材が第２転写ローラ側へと引き付けられるような姿勢で排出されるようにする。結果、上記ニップ出口での放電抑制と併せて、転写材が像担持体に巻き付くことを防止できる。
【００１０】
本第５発明は、画像形成装置において、回転可能に設けられかつ静電潜像が形成される潜像担持体と、前記静電潜像を液体現像剤で現像して潜像担持体上に液体現像剤像を形成する現像装置と、前記潜像担持体上の液体現像剤像を像担持体に転写する一次転写ユニットと、前記像担持体上の液体現像剤像を搬送されてくる転写材に転写する転写装置とを少なくとも備え、前記転写装置は、本第１〜第４発明のいずれかの転写装置であることを特徴とする。
【発明を実施するための最良の形態】
【００１１】
以下、図面を用いて本発明を実施するための最良の形態について説明する。図１は、本発明にかかる画像形成装置の実施の形態の第１の実施形態を模式的にかつ部分的に示す図である。
【００１２】
図１に示すように、第１の実施形態の画像形成装置１は、タンデムに配置されたイエロー（Ｙ）、マゼンタ（Ｍ）、シアン（Ｃ）およびブラック（Ｋ）の潜像担持体である感光体２Ｙ、２Ｍ、２Ｃ、２Ｋを備えている。ここで、各感光体２Ｙ、２Ｍ、２Ｃ、２Ｋにおいて、２Ｙはイエローの感光体、２Ｍはマゼンタの感光体、２Ｃはシアンの感光体、２Ｋはブラックの感光体を表す。また、他の部材についても同じように、部材の符号にそれぞれ各色のＹ、Ｍ、Ｃ、Ｋを添えて各色の部材を表す。各感光体２Ｙ、２Ｍ、２Ｃ、２Ｋは、図１に示す例ではいずれも、感光体ドラムから構成されている。なお、各感光体２Ｙ、２Ｍ、２Ｃ、２Ｋは、無端ベルト状に構成することもできる。
【００１３】
これらの感光体２Ｙ、２Ｍ、２Ｃ、２Ｋは、いずれも作動時に図１に矢印で示すように時計回りに回転するようにされている。各感光体２Ｙ、２Ｍ、２Ｃ、２Ｋの周囲には、それぞれ、それらの回転方向上流側から順に、帯電部材３Ｙ、３Ｍ、３Ｃ、４Ｋ、露光装置４Ｙ、４Ｍ、４Ｃ、４Ｋ、現像装置５Ｙ、５Ｍ、５Ｃ、５Ｋ、一次転写装置７Ｙ、７Ｍ、７Ｃ、７Ｋ、感光体クリーニング装置８Ｙ、８Ｍ、８Ｃ、８Ｋ、が配設されている。
【００１４】
また、第１の実施形態の画像形成装置１は、像担持体である無端状の中間転写ベルト１０を備えている。この中間転写ベルト１０は図示しないモータの駆動力が伝達されるベルト駆動ローラ１１および一対の従動ローラ１２に張架されて図１において反時計回りに回転可能に設けられている。
【００１５】
中間転写ベルト１０は、図８に示されるように、屈曲耐久性に優れるとともにベルトテンションによる伸びが少なく、弾性層を被覆する被覆工程で加熱工程があっても耐熱特性に優れるポリイミド樹脂等からなる基材層１０ａ（例、厚さ１００μｍ）、ウレタンゴム（硬度ＪＩＳ−Ａ３０°）等からなり、基材層１０ａの表面を被覆する弾性層１０ｂ（例、厚さ２００μｍ）、フッ素樹脂からなるコート層１０ｃ（例、厚さ１０μｍ）の３層からなる。なお、本実施形態のベルトの幅は３２４ｍｍである。弾性層１０ｂを備えた複層構造とすることにより中間転写ベルト１０を厚み方向へ適度な弾性を持たせ感光体２Ｙ、２Ｍ、２Ｃ、２Ｋからの液体現像剤像の転写性及び転写材への転写性が向上し、特に、凹凸の大きい転写性に優れ、凹部にもきれいな画像を転写できる。
【００１６】
なお、この例の画像形成装置１では、各感光体２Ｙ、２Ｍ、２Ｃ、２Ｋおよび各現像装置５Ｙ、５Ｍ、５Ｃ、５Ｋは中間転写ベルト１０の回転方向上流側から色Ｙ、Ｍ、Ｃ、Ｋの順に配設されているが、これらの各色Ｙ、Ｍ、Ｃ、Ｋの配置順は任意に設定することができる。
【００１７】
各一次転写装置７Ｙ、７Ｍ、７Ｃ、７Ｋより中間転写ベルト１０の回転方向下流側の各一次転写装置７Ｙ、７Ｍ、７Ｃ、７Ｋの近傍には、それぞれ、中間転写スクイーズ装置１５Ｙ、１５Ｍ、１５Ｃ、１５Ｋが配設されている。更に、中間転写ベルト１０のベルト駆動ローラ１１側には二次転写装置１６が設けられ、また中間転写ベルト１０の従動ローラ１３側には中間転写ベルトクリーニング装置１７が設けられている。中間転写ベルトクリーニング装置１７は、中間転写ベルトクリーニングブレード４９と中間転写ベルトクリーニング回収液貯留容器６０により構成される。
【００１８】
なお、図示しないが、この例の画像形成装置１は、二次転写を行う従来の一般的な画像形成装置と同様に、二次転写装置１６より転写材搬送方向上流側に例えば紙等の転写材を収納する転写材収納装置と、この転写材収納装置からの転写材を二次転写装置１６へ搬送供給するレジストローラ対５５とを備えている。また、この画像形成装置１は、同様に二次転写装置１６より転写材搬送方向下流側に定着装置および排紙トレイを備えている。
【００１９】
各帯電部材３Ｙ、３Ｍ、３Ｃ、３Ｋはそれぞれ例えばコロナ帯電器からなる。各帯電部材３Ｙ、３Ｍ、３Ｃ、３Ｋには、図示しない電源装置から液体現像剤の帯電極性と同極性のバイアスがそれぞれ印加される。そして、各帯電部材３Ｙ、３Ｍ、３Ｃ、３Ｋは、それぞれ、対応する感光体２Ｙ、２Ｍ、２Ｃ、２Ｋを帯電するようになっている。また、各露光装置４Ｙ、４Ｍ、４Ｃ、４Ｋは、それぞれ、対応する帯電された感光体２Ｙ、２Ｍ、２Ｃ、２Ｋ上に、例えばレーザ走査光学系等からレーザ光を照射することによって静電潜像を形成するようになっている。
【００２０】
各現像装置５Ｙ、５Ｍ、５Ｃ、５Ｋは、それぞれ、現像剤供給部１８Ｙ、１８Ｍ、１８Ｃ、１８Ｋと、現像ローラ１９Ｙ、１９Ｍ、１９Ｃ、１９Ｋと、現像ローラクリーナ２１Ｙ、２１Ｍ、２１Ｃ、２１Ｋと、現像ローラクリーナ回収液貯留部２２Ｙ、２２Ｍ、２２Ｃ、２２Ｋとを備えている。
【００２１】
各現像剤供給部１８Ｙ、１８Ｍ、１８Ｃ、１８Ｋは、それぞれ、トナー粒子および不揮発性液体キャリアからなる液体現像剤２３Ｙ、２３Ｍ、２３Ｃ、２３Ｋを収納する現像剤容器２４Ｙ、２４Ｍ、２４Ｃ、２４Ｋと、現像剤汲み上げローラ２５Ｙ、２５Ｍ、２５Ｃ、２５Ｋと、アニロクスローラ２６Ｙ、２６Ｍ、２６Ｃ、２６Ｋと、現像剤規制ブレード２７Ｙ、２７Ｍ、２７Ｃ、２７Ｋとを備えている。
【００２２】
各現像剤容器２４Ｙ、２４Ｍ、２４Ｃ、２４Ｋ内に収納される液体現像剤２３Ｙ、２３Ｍ、２３Ｃ、２３Ｋにおいて、トナーとしては、トナーに使用される公知の熱可塑性樹脂中へ同じく公知の顔料等の着色剤を分散させた例えば平均粒径１μｍの粒子を用いることができる。一方、液体キャリアとしては、低粘性低濃度の液体現像剤の場合は、例えばＩｓｏｐａｒ（商標：エクソン社）の絶縁性液体キャリアを用いることができる。また、液体キャリアとして、高粘性高濃度の液体現像剤の場合は、例えば、有機溶媒、フェニルメチルシロキサン、ジメチルポリシロキサンおよびポリジメチルシクロシロキサン等の引火点２１０℃以上のシリコーンオイル、鉱物油、沸点１７０℃以上で４０℃での粘度が３ｍＰａ・ｓの比較的低粘度の流動パラフィンなどの脂肪族飽和炭化水素、ノルマルパラフィン、植物油、食用油、高級脂肪酸エステル、等の絶縁性液体キャリアを用いることができる。そして、液体現像剤２３Ｙ、２３Ｍ、２３Ｃ、２３Ｋはトナー粒子を液体キャリアへ分散剤とともに添加し、トナー固形分濃度を約２０％としたものである。
【００２３】
各現像剤汲み上げローラ２５Ｙ、２５Ｍ、２５Ｃ、２５Ｋは、それぞれ、各現像剤容器２４Ｙ、２４Ｍ、２４Ｃ、２４Ｋ内の液体現像剤２３Ｙ、２３Ｍ、２３Ｃ、２３Ｋを汲み上げて各アニロクスローラ２６Ｙ、２６Ｍ、２６Ｃ、２６Ｋに供給するローラである。各現像剤汲み上げローラ２５Ｙ、２５Ｍ、２５Ｃ、２５Ｋは、いずれも図１において矢印で示す時計まわりに回転するようにされている。また、各アニロクスローラ２６Ｙ、２６Ｍ、２６Ｃ、２６Ｋは、いずれも、円筒状の部材で表面に微細かつ一様に螺旋状の溝を形成したローラである。溝の寸法は、例えば、溝ピッチが約１７０μｍ、溝深さが約３０μｍに設定される。もちろん、溝の寸法はこれらの値に限定されることはない。各アニロクスローラ２６Ｙ、２６Ｍ、２６Ｃ、２６Ｋは、いずれも各現像ローラ１９Ｙ、１９Ｍ、１９Ｃ、１９Ｋと同じ方向で図１において矢印で示す反時計まわりに回転するようにされている。なお、各アニロクスローラ２６Ｙ、２６Ｍ、２６Ｃ、２６Ｋは、いずれも各現像ローラ１９Ｙ、１９Ｍ、１９Ｃ、１９Ｋと連れ回りで回転するようにすることもできる。すなわち、アニロクスローラ２６Ｙ、２６Ｍ、２６Ｃ、２６Ｋの回転方向は、限定されず任意である。
【００２４】
各現像剤規制ブレード２７Ｙ、２７Ｍ、２７Ｃ、２７Ｋは、それぞれ、各アニロクスローラ２６Ｙ、２６Ｍ、２６Ｃ、２６Ｋの表面に当接して設けられている。これらの現像剤規制ブレード２７Ｙ、２７Ｍ、２７Ｃ、２７Ｋは、それぞれ、各アニロクスローラ２６Ｙ、２６Ｍ、２６Ｃ、２６Ｋの表面に当接する、ウレタンゴム等からなるゴム部と、このゴム部を支持する金属等の板とから構成されている。そして、各現像剤規制ブレード２７Ｙ、２７Ｍ、２７Ｃ、２７Ｋは、それぞれ、各アニロクスローラ２６Ｙ、２６Ｍ、２６Ｃ、２６Ｋの溝部以外の表面に付着する液体現像剤をゴム部で掻き落として除去する。したがって、各アニロクスローラ２６Ｙ、２６Ｍ、２６Ｃ、２６Ｋは、それらの溝部内に付着する液体現像剤のみを各現像ローラ１９Ｙ、１９Ｍ、１９Ｃ、１９Ｋに供給するようになっている。
【００２５】
各現像ローラ１９Ｙ、１９Ｍ、１９Ｃ、１９Ｋは、いずれも、例えば幅約３２０ｍｍの円筒状の部材であり、例えば鉄等金属シャフトの外周部に、導電性ウレタンゴム等の弾性体と樹脂層やゴム層を備えたものである。これらの現像ローラ１９Ｙ、１９Ｍ、１９Ｃ、１９Ｋはそれぞれ各感光体２Ｙ、２Ｍ、２Ｃ、２Ｋに当接され、かつ図１において矢印で示すように反時計まわりに回転するようにされている。
【００２６】
更に、各現像ローラクリーナ２１Ｙ、２１Ｍ、２１Ｃ、２１Ｋは、それぞれ、対応する現像ローラ１９Ｙ、１９Ｍ、１９Ｃ、１９Ｋの表面に当接する例えばゴム等で構成され、現像ローラ１９Ｙ、１９Ｍ、１９Ｃ、１９Ｋに残留する現像剤を掻き落として除去するためのものである。更に、各現像ローラクリーナ回収液貯留部２２Ｙ、２２Ｍ、２２Ｃ、２２Ｋは、それぞれ、各現像ローラクリーナ２１Ｙ、２１Ｍ、２１Ｃ、２１Ｋによって現像ローラ１９Ｙ、１９Ｍ、１９Ｃ、１９Ｋから掻き落とされた現像剤を貯留するタンク等の容器から構成されている。
【００２７】
各一次転写装置７Ｙ、７Ｍ、７Ｃ、７Ｋは、それぞれ、中間転写ベルト１０を各感光体２Ｙ、２Ｍ、２Ｃ、２Ｋに当接させる一次転写用の一次転写ローラ３９Ｙ、３９Ｍ、３９Ｃ、３９Ｋを備えている。各一次転写ローラ３９Ｙ、３９Ｍ、３９Ｃ、３９Ｋは、トナー粒子の帯電極性と逆極性の例えば約−２００Ｖが印加されて、各感光体２Ｙ、２Ｍ、２Ｃ、２Ｋ上の各色のトナー像（液体現像剤像）を像担持体である中間転写ベルト１０に一次転写する。一次転写後の感光体２Ｙ、２Ｍ、２Ｃ、２Ｋ上に感光体クリーニング装置８Ｙ、８Ｍ、８Ｃ、８Ｋが当接し残留した現像剤を掻き落として除去する。
【００２８】
不揮発性キャリアを用いる画像形成装置では、転写材に転写されたトナー像を熱によって溶融定着する工程でキャリア液が多量に存在すると定着不良が発生する。このため、スクイーズによってキャリア液量を定着可能なレベルまで減量することが必要である。
【００２９】
第１の実施形態の画像形成装置１は、中間転写ベルト１０に中間転写スクイーズ装置１５Ｙ、１５Ｍ、１５Ｃ、１５Ｋを配置する。中間転写スクイーズ装置１５Ｙ、１５Ｍ、１５Ｃ、１５Ｋは、それぞれ、中間転写スクイーズローラ４０Ｙ、４０Ｍ、４０Ｃ、４０Ｋと、中間転写スクイーズローラ当接部材５０Ｙ、５０Ｍ、５０Ｃ、５０Ｋと、中間転写スクイーズローラクリーナ４１Ｙ、４１Ｍ、４１Ｃ、４１Ｋと、中間転写スクイーズローラクリーナ回収液貯留容器４２Ｙ、４２Ｃ、４２Ｋ、４２Ｋとを備えている。
【００３０】
各中間転写スクイーズローラ４０Ｙ、４０Ｍ、４０Ｃ、４０Ｋは、それぞれ中間転写ベルト１０上の対応する色の液体キャリアを回収するものである。各中間転写スクイーズローラ４０Ｙ、４０Ｍ、４０Ｃ、４０Ｋにトナー帯電と同極性の電圧を印加することでトナー粒子を中間転写ベルト１０側に押し付けて、上澄みのキャリア液のみを除去する。
【００３１】
また、各中間転写スクイーズローラクリーナ４１Ｙ、４１Ｍ、４１Ｃ、４１Ｋは、それぞれ中間転写スクイーズローラ４０Ｙ、４０Ｍ、４０Ｃ、４０Ｋのローラ上の回収した液体キャリアを掻き取るものである。これらの中間転写スクイーズローラクリーナ４１Ｙ、４１Ｍ、４１Ｃ、４１Ｋは、ゴム等の弾性体からなっている。更に、各中間転写スクイーズローラクリーナ回収液貯留容器４２Ｍ、４２Ｃ、４２Ｋ、４２Ｋは、それぞれ各中間転写スクイーズローラクリーナ４１Ｙ、４１Ｍ、４１Ｃ、４１Ｋで掻き取った液体キャリアを回収貯留するものである。
【００３２】
第１の実施形態の画像形成装置１は、一次転写部７Ｙ、７Ｍ、７Ｃ、７Ｋで複数回の一次転写バイアスを印加され、更に、中間転写スクイーズ装置１５Ｙ、１５Ｍ、１５Ｃ、１５Ｋで複数回の電圧が印加されるため、トナー粒子の中間転写ベルト１０への付着力が強くなってしまい、二次転写装置１６での転写材への二次転写効率が低下するという問題が発生する。
【００３３】
図９、図１０を用いて、この問題を解決する本発明の二次転写装置１６について詳しく説明する。二次転写装置１６は、互いに転写材移動方向に沿って所定間隔離間して配置された一対の二次転写ローラを備えている。これらの一対の二次転写ローラのうち、転写材の移動方向の上流側に配置される二次転写ローラが第１転写ローラ４３である。また、一対の二次転写ローラのうち、転写材の移動方向の下流側に配置される二次転写ローラが第２転写ローラ４４である。第１及び第２転写ローラ４３、４４には、それぞれ別々に二次転写バイアスを印加する二次転写バイアス印加手段（図示せず）を備えている。
【００３４】
そして、これらの第１、第２転写ローラ４３、４４には、無端状の転写材支持ベルト４６が掛け渡されている。その場合、転写材支持ベルト４６にはテンションが付与されている。また、第１、第２転写ローラ４３、４４は、それぞれベルト駆動ローラ１１に中間転写ベルト１０および転写材支持ベルト４６を介して当接可能となっている。転写材支持ベルト４６を第１転写ローラ４３で駆動し、第２転写ローラ４４により転写材支持ベルト４６にテンションを付加する。転写材支持ベルト４６は、例えば、ポリイミド樹脂またはポリアミドイミド樹脂製とする。
【００３５】
すなわち、これらの第１、第２転写ローラ４３、４４に掛け渡された転写材支持ベルト４６は、ベルト駆動ローラ１１および従動ローラ１３に掛けられた中間転写ベルト１０に転写材を密着させるとともに、転写材を中間転写ベルト１０に密着させた状態で転写材を搬送しながら、中間転写ベルト１０上の各色のトナー像が合わせられたカラーのトナー像（液体現像剤像）を転写材に二次転写するようになっている。その場合、ベルト駆動ローラ１１は、二次転写時の第１及び第２転写ローラ４３、４４の当接部材としても機能する。
【００３６】
したがって、二次転写装置１６に搬送されてきた転写材は、第１転写ローラ４３とベルト駆動ローラ１１との圧接開始位置（ニップ開始位置）から第２転写ローラ４４とベルト駆動ローラ１１との圧接終了位置（ニップ終了位置）までの転写材の所定の移動領域で中間転写ベルト１０に密着される。これにより、中間転写ベルト１０上のフルカラーのトナー像が、中間転写ベルトに密着した状態の転写材に所定時間にわたって二次転写されるので、良好な二次転写が行われる。
【００３７】
一方、第１転写ローラ４３の径を第２転写ローラ４４の径より大きくすることで、転写ニップにおいて強い電圧が印加される領域を長く確保することができ、ニップ内で強い転写力を確保することが可能となり、上記ニップ入口での微小放電の効果と併せて、良好な転写性を得ることが出来る。この実施形態では、第１転写ローラ４３の径をφ３５〜１００ｍｍ、第２転写ローラ４４の径をφ２０〜６０ｍｍとした。但し、第２転写ローラ４４の径は、第１転写ローラ４３の径より小さいくする。
【００３８】
また、二次転写装置１６は、転写材支持ベルト４６に対して、転写材支持ベルトクリーナ４５と転写材支持ベルトクリーナ回収液貯留容器４７とを備えている。転写材支持ベルトクリーナ４５は、各スクイーズローラクリーナ３７Ｙ、３７Ｍ、３７Ｃ、３７Ｋと同様にゴム等の弾性体からなる。そして、この転写材支持ベルトクリーナ４５は転写材支持ベルト４６に当接されて二次転写後に転写材支持ベルト４６の表面に残留する液体現像剤等の異物を掻き落として除去する。また、転写材支持ベルトクリーナ回収液貯留容器４７は、転写材支持ベルトクリーナ４５によって転写材支持ベルト４６から掻き落とされた現像剤を回収して貯留する。したがって、転写材支持ベルト４６に付着する液体現像剤等の異物による次の転写材への影響を防止することができる。
【００３９】
更に、第１転写ローラ４３がベルト駆動ローラ１１に中間転写ベルト１０および転写材支持ベルト４６を介して当接可能にされる。これにより、転写材がベルト駆動ローラ１１と第１転写ローラ４３との圧接位置に進入開始したとき転写材が中間転写ベルト１０に確実に密着される。これにより、中間転写ベルト１０から転写材への液体現像剤像の転写が確実に開始される。また、ベルト駆動ローラ１１と第１転写ローラ４３との圧接位置を通過した転写材を中間転写ベルト１と転写材支持ベルト４６との間に挟持するので、転写材を中間転写ベルト１０から剥離する（浮く）のを抑制できる。したがって、更に一層良好な転写を行うことができる。更に、第１転写ローラ４３およびベルト駆動ローラ１１の当接位置と第２転写ローラ４４とベルト駆動ローラ１１の当接位置との間で、転写材支持ベルト４６が中間転写ベルト１０に巻き付く状態になる。これにより、転写材がこれらの当接位置間を移動する間、転写材を中間転写ベルト１０に安定して密着させることができる。したがって、転写効率が更に良好になるとともに、転写材の搬送性も更に向上する。
【００４０】
更に、第２転写ローラ４４の硬度を当接部材であるベルト駆動ローラ１１の硬度より低く設定することで、ベルト駆動ローラ１１と第２転写ローラ４４によって形成されるニップ部において第２転写ローラ４４側をより大きく変形させる。これにより、ニップ出口において転写材が第２転写ローラ側へと引き付けられるような姿勢で排出されるようにする。結果、上記ニップ出口での放電抑制と併せて、転写材が像担持体に巻き付くことを防止できる。この実施形態では、ベルト駆動ローラ１１は、芯材として用いた鉄製の金属シャフトの外周面に、滑り止めのための表層部としてウレタンゴム層を１〜６ｍｍの厚みで設けて、また、第１転写ローラ４３は、芯材として用いた鉄製の金属シャフトの外周面に、表層部として例えば耐膨潤等の耐液性の厚み３〜１０ｍｍのウレタンゴム層を設けて、第２転写ローラ４３は、芯材として用いた鉄製の金属シャフトの外周面に、表層部として例えば耐膨潤等の耐液性の厚み３〜１０ｍｍのウレタンゴム層を設けている。第２転写ローラ４４のウレタンゴム層の厚みを当接部材であるベルト駆動ローラ１１のウレタンゴム層の厚みより厚くし、第２転写ローラ４４の硬度を当接部材であるベルト駆動ローラ１１の硬度より低く設定している。
【００４１】
更に、転写材がベルト駆動ローラ１１および第１転写ローラ４３の圧接部およびベルト駆動ローラ１１および第２転写ローラ４４の圧接部にそれぞれ進入開始するとき、中間転写ベルト１０および転写材支持ベルト４６はともに抵抗を受けてそれぞれ緩みを生じようとする。そこで、中間転写ベルト１０および転写材支持ベルト４７にテンションを付与している。これにより、前述のように中間転写ベルト１０および転写材支持ベルト４６が抵抗を受けて緩みを生じようとしても、中間転写ベルト１０および転写材支持ベルト４６は緊張状態に保持される。したがって、ベルト駆動ローラ１１および第１転写ローラ４３の圧接位置とベルト駆動ローラ１１および第２転写ローラ４４の圧接位置との間で、中間転写ベルト１０から転写材への転写を効率よく行うことができる。しかも、転写材支持ベルト４６による転写材の支持搬送を更に安定しかつ更に確実に行うことができる。その場合、第２転写ローラ４４を転写材支持ベルト４６にテンションを付与するテンションローラとして兼用することで、専用のテンションローラを不要にすることができる。これにより、転写材への転写を効率よく行いつつ、部品点数を削減できて画像形成装置をコンパクトに形成することができる。
【００４２】
この実施形態の第１転写ローラ４３とベルト駆動ローラ１１とのニップ加重を３０〜８０ｋｇｆとし、第２転写ローラ４４とベルト駆動ローラ１１とのニップ加重を５〜４０ｋｇｆとした。但し、第２転写ローラ４４とベルト駆動ローラ１１とのニップ加重は、第１転写ローラ４３とベルト駆動ローラ１１とのニップ加重より低く設定する。
【００４３】
この実施形態の中間転写ベルト１０は、図８に示されるもので、電気抵抗１０8〜１０10［Ω・ｃｍ］とし、転写材支持ベルト４６の電気抵抗を１０？〜１０11Ω・ｃｍ］とし、第１転写ローラ４３の電気抵抗を１０5〜１０9［Ω・ｃｍ］とし、第２転写ローラ４４の電気抵抗を１０5〜１０9［Ω・ｃｍ］とし、第１及び第２転写ローラ４３，４４の当接部材であるベルト駆動ローラ１１の電気抵抗を１０6〜１０8［Ω・ｃｍ］とした。
【００４４】
第１及び第２転写ローラ４３、４４は、それぞれ別々に二次転写バイアスを印加する二次転写バイアス印加手段（図示せず）を備えている。それぞれの二次転写バイアス印加手段は制御手段により印加する印加バイアス値を制御される。この実施形態では、複数色の一次転写部７Ｙ、７Ｍ、７Ｃ、７Ｋで複数回の一次転写バイアスを印加されて色重ねされ、更に、中間転写スクイーズ装置１５Ｙ、１５Ｍ、１５Ｃ、１５Ｋで複数回の電圧が印加されるため、トナー粒子の中間転写ベルト１０への付着力が強くなった状態で二次転写されることになる。通常の二次転写バイアスを印加すると中間転写ベルト１０に強く付着しているトナーが転写材に完全に転写されない転写不良が発生する。
【００４５】
その問題を解決するため、第１転写ローラ４３から印加される二次転写バイアス値Ｖ１を強くし、第２転写ローラ４４から印加される二次転写バイアス値Ｖ２との関係をＶ１＞Ｖ２とする。この実施形態では、第１転写ローラ４３から印加される二次転写バイアス値Ｖ１を−１０００〜−３０００Ｖとし、第２転写ローラ４４から印加される二次転写バイアス値Ｖ２を−６００〜１６００Ｖとした。但し、Ｖ１＞Ｖ２とする。
【００４６】
第１転写ローラ４３からの二次転写バイアス値Ｖ１を強くすることで、転写ニップ入口で中間転写ベルト１０上に強く付着しているトナー層に対してトナー帯電と逆極性の微少放電を発生させる。この転写ニップ入口での微少放電により中間転写ベルト１０上に強く付着しているトナー層に対して中間転写ベルト１０から引き剥がす方向の電界が付与され、中間転写ベルト１０上のトナー層が転写ニップに入る前にトナー粒子の中間転写ベルト１０への付着力を弱めることができる。
【００４７】
図１０により転写ニップ入口での微少放電について説明する。転写材への二次転写時は、中間転写ベルト１０と第１及び第２転写ローラ４３、４４には転写材が介在するため、二次転写ローラから中間転写ベルトへと直接放電することはない。放電は、転写ニップ入口で第１転写ローラ４３から転写材へ発生する（負極性の放電）。この第１転写ローラ４３から転写材への放電により転写材が急激に負極性に帯電し、転写材の電位が負極性側に増加し、放電開始電位を越えることで、転写ニップ入口で転写材→中間転写ベルト１０上のトナー層へと微少放電が発生する。
【００４８】
この転写ニップ入口での転写材から中間転写ベルト１０上のトナー層への微少放電によりトナー粒子の中間転写ベルト１０への付着力が弱まり、第１転写ローラ４３とベルト駆動ローラ１１との圧接開始位置（ニップ開始位置）から第２転写ローラ４４とベルト駆動ローラ１１との圧接終了位置（ニップ終了位置）までのロングニップで、中間転写ベルト１０上での色重ねやスクイーズによりトナー粒子が中間転写ベルトに強く付着するような状況においても転写材への良好な転写が可能となる。
【００４９】
一方で、Ｖ１＞Ｖ２とすることで、転写ニップの後半の転写バイアス値を低めに設定することで転写ニップ出口での放電が抑制され、転写材が放電により帯電されて像担持体に巻き付いたり、転写材に転写されたトナーが放電によって乱れることを防止することができる。
【００５０】
図２は、本発明にかかる画像形成装置の第２の実施形態を示す図である。なお、前述の実施形態と同じ構成要素には同じ符号を付して、その詳細な説明は省略する。前述の図１に示す第１の実施形態の画像形成装置１では、中間転写ベルト１０に各色毎に中間転写スクイーズ装置１５Ｙ、１５Ｍ、１５Ｃ、１５Ｋを配置する構成であるのに対して、図２に示す第２の実施形態の画像形成装置１は、二次転写前のブラックの一次転写装置７Ｋと二次転写装置１６との間に中間転写スクイーズ装置１５Ｋを配置する。中間転写スクイーズ装置１５Ｋだけであるが、中間転写ベルト１０上での色重ねや中間転写スクイーズ装置１５Ｋによりトナー粒子が中間転写ベルト１０に強く付着するような状況が発生する。このような状況での二次転写装置１６の構成は第１の実施形態と同様であるので説明を省略する。
【００５１】
図３は、本発明にかかる画像形成装置の第３の実施形態を示す図である。なお、前述の実施形態と同じ構成要素には同じ符号を付して、その詳細な説明は省略する。前述の図１、図２に示す第１及び第２の実施形態の画像形成装置１では、中間転写ベルト１０上に中間転写スクイーズ装置を配置しているが、第３の実施形態では、中間転写スクイーズ装置を配置していない。中間転写スクイーズ装置を配置していないが、中間転写ベルト１０上での色重ねによりトナー粒子が中間転写ベルト１０に強く付着するような状況が発生する。このような状況での二次転写装置１６の構成は第１の実施形態と同様であるので説明を省略する。
【００５２】
図４は、本発明にかかる画像形成装置の第４の実施形態を示す図である。なお、前述の実施形態と同じ構成要素には同じ符号を付して、その詳細な説明は省略する。第４の実施形態では、中間転写スクイーズ装置を配置することなく、感光体スクイーズ装置６Ｙ、６Ｍ、６Ｃ、６Ｋを配置する。各感光体スクイーズ装置６Ｙ、６Ｍ、６Ｃ、６Ｋは、それぞれ、感光体スクイーズローラ３６Ｙ,３６Ｍ,３６Ｃ,３６Ｋと、感光体スクイーズローラクリーナ３７Ｙ,３７Ｍ,３７Ｃ,３７Ｋとを備えている。各感光体スクイーズローラ３６Ｙ,３６Ｍ,３６Ｃ,３６Ｋは、それぞれ、各感光体２Ｙ,２Ｍ,２Ｃ,２Ｋと各現像ローラ１９Ｙ,１９Ｍ,１９Ｃ,１９Ｋとの当接部（ニップ部）より各感光体２Ｙ,２Ｍ,２Ｃ,２Ｋの回転方向下流側に設置されている。そして、これらの感光体スクイーズローラ３６Ｙ,３６Ｍ,３６Ｃ,３６Ｋは、それぞれ、各感光体２Ｙ,２Ｍ,２Ｃ,２Ｋと逆方向（図１において反時計回り）に回転されて、各感光体２Ｙ、２Ｍ、２Ｃ、２Ｋ上の液体キャリアを除去するようになっている。
【００５３】
各感光体スクイーズローラ３６Ｙ,３６Ｍ,３６Ｃ,３６Ｋとしては、いずれも、金属製芯金の表面に導電性ウレタンゴム等の弾性部材とフッ素樹脂製表層を配した弾性ローラが好適である。各感光体スクイーズローラ３６Ｙ、３６Ｍ、３６Ｃ、３６Ｋにトナー帯電と同極性の電圧を印加することでトナー粒子を感光体２Ｙ、２Ｍ、２Ｃ、２Ｋ側に押し付けて、上澄みのキャリア液のみを除去する。感光体スクイーズ装置２Ｙ、２Ｍ、２Ｃ、２Ｋによりトナー粒子の帯電量が増加し、中間転写ベルト１０上での色重ねされるトナー粒子が中間転写ベルト１０に強く付着するような状況が発生する。このような状況での二次転写装置１６の構成は第１の実施形態と同様であるので説明を省略する。
【００５４】
図５は、本発明にかかる画像形成装置の第５の実施形態を示す図である。なお、前述の実施形態と同じ構成要素には同じ符号を付して、その詳細な説明は省略する。前述の実施形態の画像形成装置１の二次転写装置１６は、第１及び第２転写ローラ４３、４４の当接部材はベルト駆動ローラ１１のみであるのに対して、図５に示す第５の実施形態の画像形成装置１は、中間転写ベルト１０を二次転写部で巻き掛けるローラをベルト駆動ローラ１１と従動ローラ１２の２ローラとし、第１転写ローラ４３の当接部材をベルト駆動ローラ１１とし、第２転写ローラ４４の当接部材を従動ローラ１２とする。第１及び第２転写ローラ４３、４４はそれぞれ当接部材としてベルト駆動ローラ１１と従動ローラ１２に当接させ、第１転写ローラ４３及び第２転写二次転写ローラ４４に独立の二次転写バイアスを印加することで、ニップ前半および後半に実際に付与されるバイアス値に明確な差を設けることが可能となる。従動ローラ１２の電気抵抗は、ベルト駆動ローラ１１の電気抵抗と同じ１０6〜１０8［Ω・ｃｍ］とする。
【００５５】
図６は、本発明にかかる画像形成装置の第６の実施形態を示す図である。なお、前述の実施形態と同じ構成要素には同じ符号を付して、その詳細な説明は省略する。前述の第１〜第５の実施形態の画像形成装置１は、中間転写体として中間転写ベルト１０を用いているが、図６に示される第６の実施形態の画像形成装置１は、中間転写体として中間転写ローラ１０Ａを用いている。
【００５６】
中間転写ローラ１０Ａは、金属製の心金の上に、ウレタンゴムやＮＢＲなどからなる弾性層を有し、弾性層の硬度はＪＩＳ−Ａ３０〜６０°、弾性層の厚みは１〜６ｍｍの範囲が好ましい。弾性層の上には、フッ素系樹脂やシリコン系樹脂からなる表層を設けても良い。表層を設ける場合、その厚みは３〜２０ｕｍ程度が好ましい。なお、本実施形態の中間転写ローラ１０ａのローラ幅は３２４ｍｍである。
【００５７】
中間転写ローラ１０Ａに色毎に中間転写スクイーズ装置１５Ｙ、１５Ｍ、１５Ｃ、１５Ｋを配置する構成は、前述の第１の実施形態と同様である。中間転写ローラ１０Ａの電気抵抗は、１０7〜１０10［Ω・ｃｍ］とする。二次転写装置１６の他の構成は、前述の実施形態と同様であるので説明を省略する。
【００５８】
図７は、本発明にかかる画像形成装置の第７の実施形態を示す図である。なお、前述の実施形態と同じ構成要素には同じ符号を付して、その詳細な説明は省略する。前述の第６の実施形態の画像形成装置１は、中間転写体として中間転写ローラ１０Ａを用い、中間転写ローラ１０Ａに色毎に中間転写スクイーズ装置１５Ｙ、１５Ｍ、１５Ｃ、１５Ｋを配置しているが、図７に示す第７の実施形態では、中間転写スクイーズ装置を配置していない。二次転写装置１６の前述の実施形態と同様であるので説明を省略する。
【００５９】
図１１は、トナーの帯電量に影響を与える現像装置のトナーの帯電の一実施形態をイエローの現像装置５Ｙを例として示す図である。現像剤汲み上げローラ２５Ｙで汲み上げられた液体現像剤２３Ｙは、アニロックスローラ２６Ｙ表面の凹凸内へ収容される。アニロックスローラ２６Ｙの表面の凹凸内に収容された液体現像剤２３Ｙは、トナーの帯電極性と同極性のバイアスを印加された現像剤規制ブレード２７Ｙにより液体現像剤２３Ｙの膜厚の均一化が行われると共に帯電され、現像ローラ１９Ｙ上に均一な液体現像剤層が形成され、図示しない電源装置から液体現像剤と同極性の現像バイアスを印加された現像ローラ１９Ｙが感光体２Ｙ上に形成されたイエロー画像用静電潜像と当接回転することによりイエロー画像用静電潜像が液体現像剤で顕像化される。
【００６０】
図１２は、現像装置のトナーの帯電の他の実施形態をイエローの現像装置５Ｙを例として示す図である。現像ローラ１９Ｙのアニロックスローラ２６Ｙの当接位置と現像ニップの間にトナー帯電用コロナ帯電器２０Ｙを配置し、トナー帯電用コロナ帯電器２０Ｙに電圧を印加して現像ローラ１９Ｙ上のトナーを帯電する。
【００６１】
以上のように本発明の転写装置は、像担持である中間転写体への付着力が大きなトナー層に対して、Ｖ１＞Ｖ２として前半の電圧を高めに設定することで、転写ニップ入口でトナー層に対してトナー帯電と逆極性の微小放電を発生させ、この微小放電によりトナー層には像担持体から引き剥がされる方向の電界が付与され、トナー層が転写ニップに入る前にトナー粒子の像担持体への付着力を弱めることが出来き、一方で、Ｖ１＞Ｖ２として後半の電圧を低めに設定することで転写ニップ出口での放電を抑制し、転写材が放電により帯電されて像担持体に巻き付いたり、転写材に転写されたトナーが放電によって乱れることを防止することができる。この結果、像担持体上での色重ねやスクイーズによりトナー粒子が像担持体に強く付着するような状況においても転写材への良好な転写が可能となる。
【図面の簡単な説明】
【００６２】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【図１０】本発明の実施形態を示す図である。
【図１１】本発明の実施形態を示す図である。
【図１２】本発明の実施形態を示す図である。
【符号の説明】
【００６３】
１…画像形成装置、２Ｙ、２Ｍ、２Ｃ、２Ｋ…各色の感光体、５Ｙ、５Ｍ、５Ｃ、５Ｋ…各色の現像装置、６Ｙ、６Ｍ、６Ｃ、６Ｋ…各色の感光体スクイーズ装置、７Ｙ、７Ｍ、７Ｃ、７Ｋ…各色の一次転写装置、１０…中間転写ベルト、１０Ａ…中間転写ローラ、１１…ベルト駆動ローラ、１２…従動ローラ、１３…従動ローラ、１５Ｙ、１５Ｍ、１５Ｃ、１５Ｋ…中間転写スクイーズ装置、１６…二次転写装置、１８Ｙ、１８Ｍ、１８Ｃ、１８Ｋ…各色の現像剤供給部、２３Ｙ、２３Ｍ、２３Ｃ、２３Ｋ…各色の液体現像剤、４３…第１転写ローラ、４４…第２転写ローラ、４５…転写材支持ベルトクリーナ、４６…転写材支持ベルト、４７…転写材支持ベルクリーナ回収液貯留容器
【図１】
2009139791.tif 000003
【図２】
2009139791.tif 000004
【図３】
2009139791.tif 000005
【図４】
2009139791.tif 000006
【図５】
2009139791.tif 000007
【図６】
2009139791.tif 000008
【図７】
2009139791.tif 000009
【図８】
2009139791.tif 000010
【図９】
2009139791.tif 000011
【図１０】
2009139791.tif 000012
【図１１】
2009139791.tif 000013
【図１２】
2009139791.tif 000014